(57)【要約】【課題】インストルメントパネル内のスペース効率を向上させることができるヘッドアップディスプレイ装置及びこれに用いられるミラー一体カバーユニットを提供する。【解決手段】使用時には可動部３′が収容部１ａの平面状の内壁に沿って起立するように、不使用時には可動部３′が収容部１ａの開口部を覆うように、起伏動作可能である。特に、使用時から不使用時への動作にともなって、リンク機構により、可動部３′の下端が収容部１ａの内壁１ａ１に沿って徐々に上方に移動する。このため、可動部３′は、使用時には収容部１ａの内壁１ａ１に沿って起立するにもかかわらず、動作時にもこの内壁１ａ１に干渉することがない。【選択図】図６
2006036018.tif 000002
【特許請求の範囲】
【請求項１】
所定の表示像を表示出力する表示デバイスと、
前記表示像をウインドシールド側に反射させるミラー部と、
インストルメントパネルに埋設され、前記表示デバイス及び前記ミラー部を収容する収容部と、
前記収容部の開口部を覆うインパネカバー部と、を備え、
前記ミラー部と前記インパネカバー部とを可動部として一体化し、
前記可動部を、使用時には起立し、不使用時には前記収容部の開口部を覆うように、起伏動作可能にした、
ことを特徴とするヘッドアップディスプレイ装置。
【請求項２】
請求項１記載のヘッドアップディスプレイ装置において、
前記可動部の前記使用時から前記不使用時への動作及びその逆の動作にともなって、前記可動部の下端が前記収容部の内壁に沿って徐々に上方及び下方にそれぞれ移動するように、前記可動部と前記収容部側とを連結するリンク機構、
を備えることを特徴とするヘッドアップディスプレイ装置。
【請求項３】
請求項２記載のヘッドアップディスプレイ装置において、
前記リンク機構は、
前記動作にともなって、前記可動部の下端を前記収容部の内壁に沿って徐々に上方に移動させ、その上端を前記開口部の上方で弧を描くように移動させる、円弧型及びＶ字型のガイド溝と、これらガイド溝を移動するガイドピンと、を含む、
ことを特徴とするヘッドアップディスプレイ装置。
【請求項４】
請求項３記載のヘッドアップディスプレイ装置において、
前記ガイドピンは、前記可動部側に設けられ、
前記ガイド溝は、前記収容部側に設けられている、
ことを特徴とするヘッドアップディスプレイ装置。
【請求項５】
請求項１〜請求項４のいずれか一項に記載のヘッドアップディスプレイ装置において、
前記収容部は、
前記内壁の裏側に前記インストルメントパネル内に配置すべき部材が配置可能なスペースを確保して、前記インストルメントパネルに埋設されている、
ことを特徴とするヘッドアップディスプレイ装置。
【請求項６】
請求項１〜請求項５のいずれか一項に記載のヘッドアップディスプレイ装置において、
前記可動部に一体化された、運転席に着座したドライバーのアイレンジの高低に応じて、前記使用時における前記ミラー部の前記アイレンジに対する角度を調整可能なアイレンジ調整機構、
を更に備えることを特徴とするヘッドアップディスプレイ装置。
【請求項７】
インストルメントパネルに埋設され、所定の表示像を表示出力する表示デバイスを収容する収容部を備えるヘッドアップディスプレイ装置に用いられ、
前記表示像をウインドシールド側に反射させるミラー部と前記収容部の開口部を覆うインパネカバー部とが一体化されて構成されて、使用時には起立され不使用時には前記収容部の開口部を覆うように倒置される可動部と、
前記可動部の駆動機構を含むと共に前記収容部の平面状の内壁に固定される固定部と、
を備えることを特徴とするミラー一体カバーユニット。
【請求項８】
請求項７記載のミラー一体カバーユニットにおいて、
前記可動部の前記使用時から前記不使用時への移行及びその逆の移行にともなって、前記可動部の下端が前記収容部の内壁に沿って徐々に上方及び下方にそれぞれ移動するように、前記可動部と前記固定部とを連結するリンク機構、
を備えることを特徴とするミラー一体カバーユニット。
【発明の詳細な説明】
【技術分野】
【０００１】
本発明は、車両等に搭載されるヘッドアップディスプレイ装置及びこれに用いられるミラー一体カバーユニットに関し、特に、表示像をウインドシールド側に反射させるミラー部が起伏動作可能なヘッドアップディスプレイ装置及びミラー一体カバーユニットに関する。
【背景技術】
【０００２】
近年、車両等には、インストルメントパネル（略してインパネともよぶ）に埋設された表示デバイスの表示像をミラーによりウインドシールドに反射させて、ドライバに視認させるヘッドアップディスプレイ装置が搭載されることがある。このようなヘッドアップディスプレイ装置では、不使用時に表示デバイスを直射日光やほこり等から防御するために、開閉可能なカバーが備わっていることが多い。
【０００３】
例えば、下記特許文献１では、使用時には、表示デバイスを外部に露呈させるが、不使用時には、カバーによって表示デバイスを外部から遮蔽する、シャッター開閉式のヘッドアップディスプレイ装置が提案されている。詳しくは、このヘッドアップディスプレイ装置では、不使用時には、カバーがスライドしてインパネの裏側に収納されるような構造になっている。
【０００４】
ところが、上記カバーを収納すべきインパネの裏側近傍には、通常、メータが配置されるうえに、前方視界を妨げないようにするための安全面の観点から、インパネに高さ制限が設けられていることが多いので、この場所以外にカバーを収納することが好ましい。そうすると、例えば、図７に示すように、ミラー３０ａ１とインパネカバー３０ｂとを可動部として一体化することにより、上述のようなミラーの収容スペースを不要とする構成が想定される。図７（Ａ）〜図７（Ｅ）は、想定される従来のヘッドアップディスプレイ装置の可動部の起伏動作を示す図である（但し、図７は本発明の公知の従来例ではない）。
【０００５】
図７（Ａ）〜図７（Ｅ）に示すように、ミラー３０ａ１とインパネカバー３０ｂとが一体化された可動部３０′を起伏動作させるためには、この可動部３０′を固定的に配置された回転軸ＡＸを中心に起伏動作させることが一般的に想定される。すなわち、図７（Ａ）に示すように、使用状態においては、可動部３０′は、表示デバイス４の表示像をミラー３０ａ１によりウインドシールド５に反射させるように、収容部１ａの内壁に沿って起立した状態になる。
【０００６】
この状態から、不使用状態へ移行させるための所定のスイッチ操作が行われると、可動部３０′はその駆動機構により、図７（Ｂ）、図７（Ｃ）、図７（Ｄ）に示す順序で、回転軸ＡＸを中心にして徐々に倒置していき、図７（Ｅ）に示すような不使用状態で安定する。なお、図７（Ｅ）に示す不使用状態から図７（Ａ）に示す使用状態に移行する場合には、上記と逆の順序で、可動部３０′は回転軸ＡＸを中心にして徐々に起立していくことになる。
【０００７】
なお、可動部３０′の起伏動作にともない、可動部３０′が収容部１の内壁に干渉するが、説明上、図７ではこれを無視して描いている。
【０００８】
なお、この種のヘッドアップディスプレイ装置として下記特許文献１に記載されたものがある。
【特許文献１】特開２００３−２３７４１１号公報
【特許文献２】実開昭６２−２０００４０号公報
【発明の開示】
【発明が解決しようとする課題】
【０００９】
ところが、上記使用状態と使用状態との間の起伏動作にともない、可動部３０′の下端は、図７中、ＴＲで示すような円弧上の軌跡を描くことになる。そうすると、収容部１は、この軌跡ＴＲを包含するように、収容部１ａの内壁裏側に張り出したスペースを確保せざるを得なくなる。
【００１０】
一般的に、インストルメントパネル１内のスペース７には、エアコン装置に連通するエアダクト、補強部材、ワイヤーハーネス等が配置される。しかしながら、上述のようなヘッドアップディスプレイ装置の構成によると、収容部１ａの裏側のスペースが圧迫されて、エアダクト等の配置が困難になってくる。すなわち、上述のようなヘッドアップディスプレイ装置の構成によると、インストルメントパネル１に埋設される収容部１ａの占有スペースが大きくなり、インストルメントパネル１内に収容すべき他部材の配置に支障をきたす可能性がでてくる。
【００１１】
要するに、近年、インストルメントパネル１内には、メータやエアダクトをはじめ、多くの機器が収容されるので、カバー開閉機構を備えたヘッドアップディスプレイ装置を採用する場合において、スペース効率の向上は重要な課題となっている。
【００１２】
よって本発明は、上述した現状に鑑み、インストルメントパネル内のスペース効率を向上させることができるヘッドアップディスプレイ装置及びこれに用いられるミラー一体カバーユニットを提供することを課題としている。
【課題を解決するための手段】
【００１３】
上記課題を解決するためになされた請求項１記載のヘッドアップディスプレイ装置は、所定の表示像を表示出力する表示デバイスと、前記表示像をウインドシールド側に反射させるミラー部と、インストルメントパネルに埋設され、前記表示デバイス及び前記ミラー部を収容する収容部と、前記収容部の開口部を覆うインパネカバー部と、を備え、前記ミラー部と前記インパネカバー部とを可動部として一体化し、前記可動部を、使用時には起立し、不使用時には前記収容部の開口部を覆うように、起伏動作可能にした、ことを特徴とする。
【００１４】
請求項１記載の発明によれば、ミラー部とインパネカバー部とを可動部として一体化し、可動部を、使用時には起立し、不使用時には収容部の開口部を覆うように、起伏動作可能にしたので、ミラー部を収容するための専用スペースが不要となる。
【００１５】
上記課題を解決するためになされた請求項２記載のヘッドアップディスプレイ装置は、請求項１記載のヘッドアップディスプレイ装置において、前記可動部の前記使用時から前記不使用時への動作及びその逆の動作にともなって、前記可動部の下端が前記収容部の内壁に沿って徐々に上方及び下方にそれぞれ移動するように、前記可動部と前記収容部側とを連結するリンク機構（３ｂ３、３ｂ４、３ｄ３、３ｄ４）、を備えることを特徴とする。
【００１６】
請求項２記載の発明によれば、使用時には可動部が収容部の平面状の内壁に沿って起立するように、不使用時には可動部が収容部の開口部を覆うように、起伏動作可能である。特に、使用時から不使用時への動作にともなって、リンク機構により、可動部の下端が収容部の内壁に沿って徐々に上方に移動する。このため、可動部は、使用時には収容部の内壁に沿って起立するにもかかわらず、動作時にもこの内壁に干渉することがない。
【００１７】
上記課題を解決するためになされた請求項３記載のヘッドアップディスプレイ装置は、請求項２記載のヘッドアップディスプレイ装置において、前記リンク機構は、前記動作にともなって、前記可動部の下端を前記収容部の内壁に沿って徐々に上方に移動させ、その上端を前記開口部の上方で弧を描くように移動させる、円弧型及びＶ字型のガイド溝と、これらガイド溝を移動するガイドピンと、を含む、ことを特徴とする。
【００１８】
請求項３記載の発明によれば、リンク機構は、使用時から不使用時への動作にともなって、可動部の下端を収容部の内壁に沿って徐々に上方に移動させ、その上端を開口部の上方で弧を描くように移動させる、円弧型及びＶ字型のガイド溝と、これらガイド溝を移動するガイドピンと、を含んで構成されるので、大型化、重量化が抑制される。
【００１９】
上記課題を解決するためになされた請求項４記載のヘッドアップディスプレイ装置は、請求項３記載のヘッドアップディスプレイ装置において、前記ガイドピンは、前記可動部側に設けられ、前記ガイド溝は、前記収容部側に設けられている、ことを特徴とする。
【００２０】
請求項４記載の発明によれば、ガイドピンは、可動部側に設けられ、ガイド溝は、収容部側に設けられているので、可動部が簡素化される。
【００２１】
上記課題を解決するためになされた請求項５記載のヘッドアップディスプレイ装置は、請求項１〜請求項４のいずれか一項に記載のヘッドアップディスプレイ装置において、前記収容部は、前記内壁の裏側に前記インストルメントパネル内に配置すべき部材が配置可能なスペースを確保して、前記インストルメントパネルに埋設されている、ことを特徴とする。
【００２２】
請求項５記載の発明によれば、内壁の裏側にインストルメントパネル内に配置すべき部材が配置可能なスペースを確保して、収容部がインストルメントパネルに埋設されている。これは、上記収容部のコンパクト化により可能になっている。
【００２３】
上記課題を解決するためになされた請求項６記載のヘッドアップディスプレイ装置は、請求項１〜請求項５のいずれか一項に記載のヘッドアップディスプレイ装置において、前記可動部に一体化された、運転席に着座したドライバーのアイレンジの高低に応じて、前記使用時における前記ミラー部の前記アイレンジに対する角度を調整可能なアイレンジ調整機構、を更に備えることを特徴とする。
【００２４】
請求項６記載の発明によれば、アイレンジ調整機構により、運転席に着座したドライバーのアイレンジの高低に応じてミラー部の角度が調整可能である。特に、アイレンジ調整機構は、ミラー部とインパネカバー部とが一体化された可動部に更に一体化されているので、一旦、ミラー部の角度調整が完了すると、以降、可動部の起伏動作の度に、アイレンジの調整をしなくてもよい。
【００２５】
上記課題を解決するためになされた請求項７記載のミラー一体カバーユニットは、インストルメントパネルに埋設され、所定の表示像を表示出力する表示デバイスを収容する収容部を備えるヘッドアップディスプレイ装置に用いられ、前記表示像をウインドシールド側に反射させるミラー部と前記収容部の開口部を覆うインパネカバー部とが一体化されて構成されて、使用時には起立され不使用時には前記収容部の開口部を覆うように倒置される可動部と、前記可動部の駆動機構を含むと共に前記収容部の平面状の内壁に固定される固定部と、を備えることを特徴とする。
【００２６】
請求項７記載の発明によれば、ミラー一体カバーユニットを収容部に取り付けると、ミラー部とインパネカバー部とを一体化した可動部が、不使用時には収容部の開口部を覆うように起伏動作可能になるので、ミラー部を収容するための専用スペースが不要となる。
【００２７】
上記課題を解決するためになされた請求項８記載のミラー一体カバーユニットは、請求項７記載のミラー一体カバーユニットにおいて、前記可動部の前記使用時から前記不使用時への移行及びその逆の移行にともなって、前記可動部の下端が前記収容部の内壁に沿って徐々に上方及び下方にそれぞれ移動するように、前記可動部と前記固定部とを連結するリンク機構、を備えることを特徴とする。
【００２８】
請求項８記載の発明によれば、ミラー一体カバーユニットを収容部に取り付けると、使用時には可動部が収容部の平面状の内壁に沿って起立するように、不使用時には可動部が収容部の開口部を覆うように、起伏動作可能になる。特に、使用時から不使用時への動作にともなって、リンク機構により、可動部の下端が収容部の内壁に沿って徐々に上方に移動可能になる。このため、可動部は、使用時には収容部の内壁に沿って起立するにもかかわらず、動作時にもこの内壁に干渉することがない。
【発明の効果】
【００２９】
請求項１記載の発明によれば、ミラー部とインパネカバー部とを可動部として一体化し、可動部を、使用時には起立し、不使用時には収容部の開口部を覆うように、起伏動作可能にしたので、ミラー部を収容するための専用スペースが不要となる。したがって、カバー開閉機構を備えたヘッドアップディスプレイ装置を採用する場合において、インストルメントパネル内のスペース効率を大きく向上する。
【００３０】
請求項２記載の発明によれば、使用時には可動部が収容部の平面状の内壁に沿って起立するように、不使用時には可動部が収容部の開口部を覆うように、起伏動作可能である。特に、使用時から不使用時への動作にともなって、リンク機構により、可動部の下端が収容部の内壁に沿って徐々に上方に移動する。このため、可動部は、使用時には収容部の内壁に沿って起立するにもかかわらず、動作時にもこの内壁に干渉することがない。したがって、収容部がコンパクトになり、インストルメントパネル内のスペース効率も向上する。
【００３１】
請求項３記載の発明によれば、リンク機構は、使用時から不使用時への動作にともなって、可動部の下端を収容部の内壁に沿って徐々に上方に移動させ、その上端を開口部の上方で弧を描くように移動させる、円弧型及びＶ字型のガイド溝と、これらガイド溝を移動するガイドピンと、を含んで構成されるので、収容部をよりコンパクトにすることができる。
【００３２】
請求項４記載の発明によれば、ガイドピンは、可動部側に設けられ、ガイド溝は、収容部側に設けられている。したがって、可動部が簡素化されるため起伏動作も円滑になる。
【００３３】
請求項５記載の発明によれば、内壁の裏側にインストルメントパネル内に配置すべき部材が配置可能なスペースを確保して、収容部がインストルメントパネルに埋設されている。これは、上記収容部のコンパクト化により可能になっている。したがって、インストルメントパネル内に配置すべき部材のための収容スペースを十分確保することができる。
【００３４】
請求項６記載の発明によれば、アイレンジ調整機構により、運転席に着座したドライバーのアイレンジの高低に応じてミラー部の角度が調整可能である。特に、アイレンジ調整機構は、ミラー部とインパネカバー部とが一体化された可動部に更に一体化されているので、一旦、ミラー部の角度調整が完了すると、以降、可動部の起伏動作の度に、アイレンジの調整をしなくてもよい。したがって、煩わしい角度調整作業を最小限に抑えて、表示像の視認性を向上させることができる。
【００３５】
請求項７記載の発明によれば、ミラー一体カバーユニットを収容部に取り付けると、ミラー部とインパネカバー部とを一体化した可動部が、不使用時には収容部の開口部を覆うように起伏動作可能になるので、ミラー部を収容するための専用スペースが不要となる。したがって、カバー開閉機構を備えたヘッドアップディスプレイ装置を採用する場合において、インストルメントパネル内のスペース効率を大きく向上させることができる。
【００３６】
請求項８記載の発明によれば、ミラー一体カバーユニットを収容部に取り付けると、使用時には可動部が収容部の平面状の内壁に沿って起立するように、不使用時には可動部が収容部の開口部を覆うように、起伏動作可能になる。特に、使用時から不使用時への動作にともなって、リンク機構により、可動部の下端が収容部の内壁に沿って徐々に上方に移動可能になる。このため、可動部は、使用時には収容部の内壁に沿って起立するにもかかわらず、動作時にもこの内壁に干渉することがない。したがって、収容部をコンパクト化することが可能になり、インストルメントパネル内のスペース効率を向上させることができる。
【発明を実施するための最良の形態】
【００３７】
以下、本発明の実施の形態を図面に基づいて説明する。まず、図１を用いて、本発明の一実施形態に係るヘッドアップディスプレイ装置について概略的に説明する。図１（Ａ）及び図１（Ｂ）は、本発明の一実施形態に係るヘッドアップディスプレイ装置の使用状態及び不使用状態を概略的に示す図である。
【００３８】
図１（Ａ）に示すように、車両のフロント部のインストルメントパネル１には、速度計、回転計等が一体化されたコンビネーションメータ２が配置されている。また、インストルメントパネル１には、本ヘッドアップディスプレイ装置の収容部１ａが埋設されている。収容部１ａの内壁は、基本的に平面状の箱形に形成されており、上面は開口している。収容部１ａには、所定の表示像を表示出力する液晶表示装置からで構成される表示デバイス４が取り付けられている。表示デバイス４の表示面に対向する収容部１ａの内壁１ａ１には、使用状態においてミラー一体カバーユニット３が対向するように配置される。ミラー一体カバーユニット３の可動部３′は、拡大ミラー３ａ１（以下、単にミラーともよぶ）を擁するミラー部３ａとインパネカバー部３ｂとが一体化されて基本構成されているが、正確には、図２以降で説明するベセル部３ｃも含んで構成されている。なお、ミラー一体カバーユニット３には、可動部３′の駆動機構を備えると共に収容部１ａに固定される固定部も含まれるが、これについても図２以降で説明する。
【００３９】
ミラー一体カバーユニット３の可動部３′は、使用時には、図１（Ａ）に示すように収容部１ａ内で起立するが、不使用時には、図１（Ｂ）に示すように、邪魔にならないように、収容部１ａの開口部を覆うように倒置可能になっている。
【００４０】
すなわち、使用時には、図１（Ａ）に示すように、表示デバイス４の表示像は、起立したミラー３ａ１によりウインドシールド５に反射されて、着座したドライバのアイレンジＥＲに向かう。これにより、ドライバからは、ウインドシールド５を通過した車両前方の光景と、ウインドシールド５で反射された表示像とが同時に視認可能である。一方、不使用時には、使用時に表示像がドライバのアイレンジＥＲに向かうように設定された光学系を崩して、図１（Ｂ）に示すように、収容部１ａの開口部を覆うように、インストルメントパネル１と面一になるように倒置可能になっている。
【００４１】
次に、本発明の一実施形態に係るヘッドアップディスプレイ装置のミラー一体カバーユニットの構成について、図２〜図５を用いて説明する。図２は、使用状態にあるミラー一体カバーユニットを示す斜視図である。図３は、ミラー一体カバーユニットの可動部の斜視図である。図４は、ミラー一体カバーユニットの可動部の分解斜視図である。図５は、不使用状態にあるミラー一体カバーユニットを示す斜視図である。
【００４２】
図２に示すように、ミラー一体カバーユニット３は、ミラー部３ａ、インパネカバー部３ｂ及びベセル部３ｃを含む可動部３′と、収容部１ａに固定される固定部３ｄと、から構成されている。このミラー一体カバーユニット３は、固定部３ｄが上記収容部１ａの内壁１ａ１に沿うようにして取り付けられる。
【００４３】
図２〜図４に示すように、可動部３′に含まれるミラー部３ａは、拡大ミラー３ａ１、モータギアボックス３ａ２及びミラーホルダー軸３ａ３を有している。拡大ミラー３ａ１は、矩形状の凹面鏡である。モータギアボックス３ａ２は、アイレンジ調整用のモータ及びギアを内蔵している。ミラーホルダー軸３ａ３は、アイレンジ調整用のミラー３ａ１の回転軸である。
【００４４】
ミラー部３ａは、インパネカバー部３ｂとベセル部３ｃとに挟み込まれるようにして、インパネカバー部３ｂに収容されている。インパネカバー部３ｂは、拡大ミラー３ａ１を収容するのに十分な浅皿状をしており、その短辺には一対の壁３ｂ２が立設されており、更に壁３ｂ２には上記起伏動作時に利用されるガイドピン３ｂ３、３ｂ４が外向けに突設されている。また、ベセル部３ｃは、上記拡大ミラー３ａ１に対応した矩形状の窓３ｃ１及び一対の壁３ｂ２にそれぞれ対応した形状の一対の切り込み３ｃ２を有している。
【００４５】
図２に示すように、固定部３ｄは、上記インパネカバー部３ｂよりやや大きな矩形状の枠体をしており、その短辺には上記一対の壁３ｂ２を外側から挟むように一対の壁３ｄ２が立設されており、更に一対の壁３ｄ２には上記ガイドピン３ｂ３、３ｂ４が挿通されるガイド溝３ｄ３、３ｄ４がそれぞれ形成されている。ガイド溝３ｄ３はＶ字型であり、ガイド溝３ｄ４は円弧型であるが、この理由は図６を用いた説明で明らかになる。ガイドピン３ｂ３、３ｂ４及びガイド溝３ｄ３、３ｄ４は、本発明の特徴となる起伏動作を実現するリンク機構を構成する。
【００４６】
固定部３ｄはまた、一対のネジ軸３ｄ５、駆動軸３ｄ６、一対のナット３ｄ７、一対のギアボックス３ｄ８及びモータギアボックス３ｄ９を有している。一対のナット３ｄ７には、上記一対のガイドピン３ｂ４がそれぞれ嵌合されて、一対のネジ軸３ｄ５上を移動する。一対のギアボックス３ｄ８は共に、駆動軸３ｄ６の回転をネジ軸３ｄ５の回転に伝達するためのギアを内蔵しており、モータギアボックス３ｄ９は、上記起伏動作用のモータ及びギアを内蔵している。なお、上記対になった壁、ガイド溝、ガイドピン、ネジ軸、ナットは共に同等の形状をしている。
【００４７】
そして、可動部３′の起伏動作を指令するための所定のスイッチ操作が行われると、モータギアボックス３ｄ９内のモータが回転して、駆動軸３ｄ６を回転させ、この回転がギアボックス３ｄ８を介してネジ軸３ｄ５に伝達され、ナット３ｄ７がネジ軸３ｄ５上を所定方向に移動し、これによりガイドピン３ｂ４が、ガイド溝３ｄ４に沿って所定方向に移動する。このとき、可動部３′を円滑に動作させるために、一対のガイドピン３ｂ４が同時に動くようにモータが駆動する。
【００４８】
このような可動部３′の起伏動作によって、ミラー一体カバーユニット３は、使用状態では図２に示すようになり、不使用状態では図５に示すようになる。したがって、ミラー一体カバーユニット３の固定部３ｄが収容部１ａの内壁１ａ１に取り付けられている場合には、使用状態では図１（Ａ）に示すようになり、不使用状態では図１（Ｂ）に示すようになる。
【００４９】
更に、図６を用いて、収容部１ａに取り付けられたミラー一体カバーユニット３の可動部３′の起伏動作について説明する。図６（Ａ）〜図６（Ｅ）は、本発明の実施形態における可動部の起伏動作を示す図である。
【００５０】
図６（Ａ）に示すように、使用状態においては、可動部３′は、表示デバイス４の表示像をミラー３ａ１によりウインドシールド５に反射させるように、収容部１ａの内壁に沿って起立した状態になる。この状態から、不使用状態へ移行させるための所定のスイッチ操作が行われると、可動部３′は、モータギアボックス３ｄ９内のモータが回転して、駆動軸３ｄ６を回転させ、この回転がギアボックス３ｄ８を介してネジ軸３ｄ５に伝達され、ナット３ｄ７がネジ軸３ｄ５上を図２の矢印方向に移動し、これによりガイドピン３ｂ４、３ｂ３が、ガイド溝３ｄ４、３ｄ３に沿って図２の矢印方向に徐々に移動する。これにより、図６（Ｂ）、図６（Ｃ）、図６（Ｄ）に示す順序で、可動部３′は、徐々に倒置していき、図６（Ｅ）に示すような不使用状態で安定する。なお、図６（Ｅ）に示す不使用状態から図６（Ａ）に示す使用状態に移行する場合には、上記と逆の順序で、可動部３′は徐々に起立していくことになる。
【００５１】
このような使用状態と使用状態との間の起伏動作にともない、可動部３′の下端（インパネカバー部３ｂの下端）は、ＴＲ１で示すように収容部１ａの内壁１ａ１に沿って徐々に上方（又は下方）に移動し、その上端（インパネカバー部３ｂの上端）は、ＴＲ２で示すように収容部１ａの開口部の上方で弧を描くように移動する。すなわち、可動部３′は、使用時には収容部１ａの内壁１ａ１に沿って起立するにもかかわらず、起伏動作時に、可動部３′が、この内壁１ａ１に干渉することがない。したがって、収容部１ａがコンパクトになり、収容部１ａが、エアダクト、補強部材、ワイヤーハーネス等が配置されるスペース６への張り出しも抑制することができる。すなわち、インストルメントパネル１内のスペース効率が向上する。
【００５２】
以上説明したように、本発明の実施形態によれば、収容部がコンパクトになり、インストルメントパネル内のスペース効率も向上させることができる。例えば、エアダクトが収容部の裏側にすっきり収容できるので、インストルメントパネル内側に補強部材やワイヤーハーネス等の他の部材のための収容スペースを十分確保することも可能になる。また、使用状態から不使用状態への移行が、ミラー一体カバーユニットの可動部の回転動作としても認識できるいう視覚的な効果も得られる。
【００５３】
なお、上記実施形態中で示したリンク機構、すなわち、ガイドピン及びガイド溝の配置や形状は、本発明の主旨の範囲内で種々の変形が可能であり、このような変形例も本発明に含まれる。
【図面の簡単な説明】
【００５４】
【図１】図１（Ａ）及び図１（Ｂ）は、本発明の一実施形態に係るヘッドアップディスプレイ装置の使用状態及び不使用状態を概略的に示す図である。
【図２】使用状態にあるミラー一体カバーユニットを示す斜視図である。
【図３】ミラー一体カバーユニットの可動部の斜視図である。
【図４】ミラー一体カバーユニットの可動部の分解斜視図である。
【図５】不使用状態にあるミラー一体カバーユニットを示す斜視図である。
【図６】図６（Ａ）〜図６（Ｅ）は、本発明の実施形態における可動部の起伏動作を示す図である。
【図７】図７（Ａ）〜図７（Ｅ）は、想定される従来のヘッドアップディスプレイ装置の可動部の起伏動作を示す図である。
【符号の説明】
【００５５】
１  インストルメントパネル
２  メータ
３  ミラー一体カバーユニット
４  表示デバイス
５  ウインドシールド
３ａ  ミラー部（可動部）
３ｂ  インパネカバー部（可動部）
３ｃ  ベセル部（可動部）
３ｄ  固定部
【図１】
2006036018.tif 000003
【図２】
2006036018.tif 000004
【図３】
2006036018.tif 000005
【図４】
2006036018.tif 000006
【図５】
2006036018.tif 000007
【図６】
2006036018.tif 000008
【図７】
2006036018.tif 000009